【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
ビデオ情報をコード化するための装置であって、
エンハンスメントレイヤ（ＥＬ）および対応する参照レイヤ（ＲＬ）に関連するビデオ情報を記憶するように構成されるメモリと、
前記メモリに動作可能に結合されるプロセッサと
を備え、前記プロセッサは、
現在のアクセスユニット（ＡＵ）におけるＥＬピクチャをコード化すること、前記ＥＬは、Ｈ.２６５/ＨＥＶＣビデオコード化標準を使用してコード化され、前記ＲＬは、Ｈ.２６４/ＨＥＶＣビデオコード化標準を使用してコード化され、前記ＥＬピクチャを前記コード化することは、前記現在のアクセスユニットにおけるＲＬピクチャに関連する情報に基づく、と
前記現在のＡＵにおける前記ＥＬピクチャをコード化するように構成された前記プロセッサの外部のエンティティから前記ＲＬピクチャに関連する前記情報を受信することと
を行うように構成され、前記情報は、
（１）前記ＲＬピクチャの復号サンプル値、
（２）前記ＲＬピクチャの表現フォーマット、
（３）前記ＲＬピクチャが瞬時復号リフレッシュ（ＩＤＲ）ピクチャであるかどうかのインジケーション
から成り、
前記プロセッサは、前記ＲＬピクチャの前記復号サンプル値を出力しないことを行うようにさらに構成され、
前記メモリは、復号ピクチャバッファ（ＤＰＢ）を含み、前記プロセッサは、前記ＥＬを記憶するために使用される前記復号ピクチャバッファの一部でない、復号ピクチャ記憶中に前記ＲＬピクチャの前記復号サンプル値を記憶することを行うようにさらに構成され、
前記プロセッサは、前記ＲＬピクチャが属するアクセスユニットに関する情報を前記外部エンティティから取得することを行うようにさらに構成され、
前記プロセッサは、前記ＲＬピクチャのレイヤ識別子を前記ＥＬピクチャのレイヤ識別子に等しくなるようにまたは０にセットすることを行うようにさらに構成され、
前記プロセッサは、前記ＲＬピクチャのピクチャ順序カウント（ＰＯＣ）を前記ＥＬピクチャのＰＯＣに等しくなるようにセットすることを行うようにさらに構成され、
前記プロセッサは、長期間参照ピクチャとして前記ＲＬピクチャをマークすることを行うようにさらに構成され、
前記メモリは、コード化ピクチャバッファ（ＣＰＢ）を含み、前記プロセッサは、ＣＰＢ動作における０ビットを有するように前記ＲＬをセットすることを行うようにさらに構成され、
前記プロセッサは、前記ＥＬのためのＤＰＢ動作における前記ＲＬピクチャの前記復号サンプル値を参照しないことを行うようにさらに構成される、
装置。
【請求項２】
前記外部エンティティは、前記第２の標準を使用してビデオ情報をコード化するように構成されるコーダである、
請求項１に記載の装置。
【請求項３】
前記プロセッサは、
前記現在のＡＵにおける前記ＲＬピクチャに関連する第２の情報を受信すること、前記第２の情報は、（４）前記ＲＬピクチャがフレームであるかフィールドであるかのインジケーションを備える、と、
前記第２の情報および前記現在のＡＵにおける前記ＲＬピクチャに関連する前記情報に基づいて前記ＥＬピクチャをコード化することと
を行うようにさらに構成される、請求項１に記載の装置。
【請求項４】
前記ＲＬピクチャがフィールドである場合、前記ＲＬピクチャに関連する前記第２の情報は、（５）フィールドパリティをさらに備える、
請求項３に記載の装置。
【請求項５】
前記ＲＬピクチャの前記表現フォーマットは、前記ＲＬピクチャの幅、前記ＲＬピクチャの高さ、前記ＲＬピクチャのカラーフォーマット、前記ＲＬピクチャのルーマコンポーネントのビット深度、または前記ＲＬピクチャのクロマコンポーネントのビット深度のうちの少なくとも１つを備える、
請求項１に記載の装置。
【請求項６】
前記ＲＬピクチャの前記幅および前記ＲＬピクチャの前記高さは、ルーマサンプルのユニットにおいて指定される、
請求項５に記載の装置。
【請求項７】
前記ＲＬピクチャに関連する前記情報は１つまたは複数のアプリケーションプログラミングインターフェース（ＡＰＩ）を使用して提供される、
請求項１に記載の装置。
【請求項８】
前記装置は、デスクトップコンピュータ、ノートブックコンピュータ、ラップトップコンピュータ、タブレットコンピュータ、セットトップボックス、電話ハンドセット、スマートフォン、ワイヤレス通信デバイス、スマートパッド、テレビジョン、カメラ、ディスプレイデバイス、デジタルメディアプレーヤ、ビデオゲームコンソール、またはビデオストリーミングデバイスのうちの１つまたは複数を備える、
請求項１に記載の装置。
【請求項９】
ビデオ情報をコード化する方法であって、
コンピュータハードウェアを備えるプロセッサを使用して、
メモリ中に、エンハンスメントレイヤ（ＥＬ）および対応する参照レイヤ（ＲＬ）に関連するビデオ情報を記憶することと、
現在のアクセスユニット（ＡＵ）におけるＥＬピクチャをコード化すること、前記ＥＬは、Ｈ.２６５/ＨＥＶＣビデオコード化標準を使用してコード化され、前記ＲＬは、Ｈ.２６４/ＨＥＶＣビデオコード化標準を使用してコード化され、前記ＥＬピクチャを前記コード化することは、前記現在のアクセスユニットにおけるＲＬピクチャに関連する情報に基づく、と、
前記プロセッサの外部のエンティティからによって提供される前記ＲＬピクチャに関連する前記情報を受信することと
を備え、前記情報は、
（１）前記ＲＬピクチャの復号サンプル値、
（２）前記ＲＬピクチャの表現フォーマット、
（３）前記ＲＬピクチャが瞬時復号リフレッシュ（ＩＤＲ）ピクチャであるかどうかのインジケーション
から成り、
前記プロセッサは、前記ＲＬピクチャの前記復号サンプル値を出力しないことを行うようにさらに構成され、
前記メモリは、復号ピクチャバッファ（ＤＰＢ）を含み、前記プロセッサは、前記ＥＬを記憶するために使用される前記復号ピクチャバッファの一部でない、復号ピクチャ記憶中に前記ＲＬピクチャの前記復号サンプル値を記憶することを行うようにさらに構成され、
前記プロセッサは、前記ＲＬピクチャが属するアクセスユニットに関する情報を前記外部エンティティから取得することを行うようにさらに構成され、
前記プロセッサは、前記ＲＬピクチャのレイヤ識別子を前記ＥＬピクチャのレイヤ識別子に等しくなるようにまたは０にセットすることを行うようにさらに構成され、
前記プロセッサは、前記ＲＬピクチャのピクチャ順序カウント（ＰＯＣ）を前記ＥＬピクチャのＰＯＣに等しくなるようにセットすることを行うようにさらに構成され、
前記プロセッサは、長期間参照ピクチャとして前記ＲＬピクチャをマークすることを行うようにさらに構成され、
前記メモリは、コード化ピクチャバッファ（ＣＰＢ）を含み、前記プロセッサは、ＣＰＢ動作における０ビットを有するように前記ＲＬをセットすることを行うようにさらに構成され、
前記プロセッサは、前記ＥＬのためのＤＰＢ動作における前記ＲＬピクチャの前記復号サンプル値を参照しないことを行うようにさらに構成される、
方法。
【請求項１０】
前記ＲＬピクチャの前記表現フォーマットは、前記ＲＬピクチャの幅、前記ＲＬピクチャの高さ、前記ＲＬピクチャのカラーフォーマット、前記ＲＬピクチャのルーマコンポーネントのビット深度、または前記ＲＬピクチャのクロマコンポーネントのビット深度のうちの少なくとも１つを備える、
請求項９に記載の方法。
【請求項１１】
コンピュータハードウェアを備えるプロセッサ上で実行されると、前記プロセッサに、請求項９または請求項１０にしたがった方法を実行することを行わせる命令を備える、非一時的コンピュータ可読媒体。